(57)【要約】【課題】従来より薄い樹脂フィルムと、市販されている汎用のチャックおよびスライダを用いて袋体を形成した場合でも、スライダによる開口の再密封を確実に行うことができるスライダチャック付き袋体を提供する。【解決手段】薄い樹脂フィルム１Ａ，１Ｂを基材とする袋体１と、この袋体１の開口近傍の内面に対向するように貼着され、互いに咬合して開口を密封する雄型テープ体２Ａおよび雌型テープ体２Ｂからなるチャック２と、袋体１の開口部に装着され、チャック２に沿ってスライドすることによりチャック２の咬合を開閉するスライダ３とからなるスライダチャック付き袋体において、雄型テープ体２Ａおよび雌型テープ体２Ｂと、袋体１を構成するフィルム基材１Ａおよび１Ｂとの間に、袋体のチャック２部位の全厚を調整するスペーサを介在配置する。【選択図】図１
0003134307.tif 000002
【実用新案登録請求の範囲】
【請求項１】
樹脂フィルムを基材とする袋体と、この袋体の開口近傍の内面に対向するように貼着され、互いに咬合して該袋体を密封する雄型テープ体および雌型テープ体からなるチャックと、前記袋体の開口部に装着され、このチャックに沿ってスライドすることにより該チャックの咬合を開閉するスライダと、からなるスライダチャック付き袋体において、
前記雄型テープ体および雌型テープ体と、前記フィルム基材との間に、前記袋体のチャック部位の全厚を調整するスペーサが、それぞれ介在配置されていることを特徴とするスライダチャック付き袋体。
【考案の詳細な説明】
【技術分野】
【０００１】
本考案は、チャックテープに装着したスライダにより、開口の開封−再密封を容易に行うことのできるチャック付き袋体に関する。
【背景技術】
【０００２】
食品や薬品、その他の物品の包装材として、樹脂フィルムからなる袋体の開口部内面に、互いに咬合する雄型テープ体と雌型テープ体からなるプラスチックチャック（チャックテープ）を貼り付けしたチャック付き袋体が使用されている。中でも、図２（ａ）のような、チャックに装着したスライダにより、このチャックの開閉（開封−封止）を行うスライダチャック付き袋体は、開口の再密封を容易かつ確実に行うことができるため、多用されている（例えば、特開平８−２１４９２０号や特開２００４−１９６３２１，特開２００５−１７８７９５等を参照。）。
【０００３】
なお、図２（ｂ）はスライダの密封側における袋体開口近傍の断面を、図２（ｃ）はスライダの開封側における袋体開口近傍の断面を表す。また、図柱状部の符号１は袋体、１１Ａ，１１Ｂは袋体を構成する通常の厚みのフィルム基材、２はチャック、２Ａは雄型テープ体、２Ｂは雌型テープ体、３はスライダ、３ａはスライダの内側ガイド部、３ｂはスライダの外側ガイド部を示す。
【考案の開示】
【考案が解決しようとする課題】
【０００４】
ところで、特殊な密閉性を要求されない一般的な用途（袋体の用途）の場合、このスライダチャック付き袋体の製造に用いられるチャックテープおよびスライダには、通常そのコストを考慮して、市販されている汎用（規格）品を組み合わせて使用される。しかしながら、このような汎用品のチャックテープとスライダは、そのサイズ（厚さや幅等の規格）が限られているため、これらを用いた時に、チャックの再密封が不十分に（緩く）なってしまう場合があった。
【０００５】
具体的には、図３に例示するように、従来例より薄い樹脂フィルム１Ａ，１Ｂの開口部内面に、ある決まった厚みを有する凸条の雄型テープ体２Ａおよび凹条の雌型テープ体２Ｂからなるチャック２の台座部２ａ，２ｂを熱融着させ、この開口部に、従来この汎用チャック２に適合するとされるスライダ３（内側ガイド部３ａ、外側ガイド部３ｂ，３ｂ）を装着した場合、スライダ３をスライドさせて袋体を開封した時（図３（ｂ））は、特に問題は生じないが、特に樹脂フィルム１Ａ，１Ｂが薄い場合は、スライダ３をスライドさせて袋体を密封する時（図３（ａ））に、このスライダ３の外側ガイド部３ｂ，３ｂによる押圧が不足し、雄型テープ体２Ａと雌型テープ体２Ｂの咬合が不完全になってしまうことがある。
【０００６】
なお、この薄いフィルム基材の厚みに合わせ、汎用品とは台座部の厚みの異なるチャックテープを新たに作成したり、ガイド部の溝幅の異なる特注品のスライダを使用したりすることもできるが、その場合は、袋体の製造コストが大幅に上昇してしまう。
【０００７】
本考案は、このような実情に鑑みてなされたものであり、薄いフィルムを用いて袋体を形成した場合でも、最小限のコストアップで、スライダによる開口の再密封を確実に行うことができるスライダチャック付き袋体を提供することを目的としている。
【課題を解決するための手段】
【０００８】
前記の目的を達成するために、請求項１に記載の考案は、樹脂フィルムを基材とする袋体と、この袋体の開口近傍の内面に対向するように貼着され、互いに咬合して該袋体を密封する雄型テープ体および雌型テープ体からなるチャックと、前記袋体の開口部に装着され、このチャックに沿ってスライドすることにより該チャックの咬合を開閉するスライダと、からなるスライダチャック付き袋体において、前記雄型テープ体および雌型テープ体と、前記フィルム基材との間に、前記袋体のチャック部位の全厚を調整するスペーサが、それぞれ介在配置されていることを特徴とする。
【０００９】
本考案の請求項１に係るスライダチャック付き袋体によれば、チャックテープ部位の袋体全厚を、スライダの密封側における外側ガイド部間の距離（溝幅）に略一致させることが可能になる。従って、本考案に係るスライダチャック付き袋体は、その袋体の基材に薄い樹脂フィルムを使用した場合でも、汎用品以外の特殊なチャックやスライダを用いることなく、チャックテープの再咬合を確実なものとすることができる。
【００１０】
なお、スペーサに用いる樹脂は、特に限定されるものではないが、袋体を構成するフィルム基材およびチャックテープと熱融着により一体化される場合の密着性を考慮して、これらを構成する樹脂より軟化点の低い樹脂種を選択することが望ましい。
【考案の効果】
【００１１】
以上のように、本考案のスライダチャック付き袋体によれば、汎用品以外の特殊なチャックやスライダを用いることなく、最小限のコストアップで、スライダによる開口の再密封性を向上させることができる。
【考案を実施するための最良の形態】
【００１２】
以下、図面を参照しつつこの考案を実施するための形態について説明する。
図１は、本考案の実施形態におけるスライダチャック付き袋体の開口部の構造を示す断面図であり、（ａ）はスライダの密封側における断面図、（ｂ）はスライダの開封側における断面図である。なお、説明を容易にするため、この図における各部材の厚さは誇張して描いてある。また、従来例と同様の機能を有する構成部材には、同じ符号を付記する。
【００１３】
この実施形態におけるスライダチャック付き袋体１は、従来より薄いフィルム基材（樹脂フィルム１Ａ，１Ｂ）と、市販されている汎用のチャックテープおよびスライダを用いて製造したものであり、従来例（図２（ａ））と同様、袋体を構成する樹脂フィルム１Ａ，１Ｂの開口部内面に、ある決まった厚みを有する凸条の雄型テープ体２Ａおよび凹条の雌型テープ体２Ｂからなるチャック２の台座部２ａ，２ｂを熱融着させ、この袋体開口部に、従来この汎用チャック２に適合するとされるスライダ３（内側ガイド部３ａ、外側ガイド部３ｂ，３ｂ）を装着して構成されている。
【００１４】
本実施形態におけるスライダチャック付き袋体の特徴は、雄型テープ体２Ａおよび雌型テープ体２Ｂと、袋体１を構成する薄い樹脂フィルム１Ａおよび１Ｂとの間に、樹脂製のスペーサ４，４がそれぞれ配置されている点である。これら各スペーサ４の厚さ（膜厚）は、図１（ａ）のように、スライダ３を密封側に移動させた場合に、チャック２部位の袋体全厚が、スライダ３の外側ガイド部３ｂ，３ｂ間の距離（溝幅）に略一致する厚みとされている。
【００１５】
以上の構成により、本実施形態におけるスライダチャック付き袋体は、従来例より薄い樹脂フィルム１Ａ，１Ｂと、市販されている汎用のチャック２およびスライダ３を用いて袋体１を形成した場合でも、雄型テープ体２Ａと雌型テープ体２Ｂがスライダ３の外側ガイド部３ｂ，３ｂにより十分に押圧され、これらを完全に咬合することができる。
【図面の簡単な説明】
【００１６】
【図１】本考案の実施形態におけるスライダチャック付き袋体の開口部の構造を示す断面図であり、（ａ）はスライダの密封側における断面図、（ｂ）はスライダの開封側における断面図である。
【図２】（ａ）はスライダチャック付き袋体の外観斜視図であり、（ｂ）は通常の厚みのフィルム基材を用いた場合のスライダ密封側における袋体開口の断面図、（ｃ）は通常の厚みのフィルム基材を用いた場合のスライダ開封側における袋体開口の断面図である。
【図３】スライダチャック付き袋体に薄いフィルム基材を用いた場合の不具合を示す図であり、（ａ）はスライダの密封側における断面図、（ｂ）はスライダの開封側における断面図である。
【符号の説明】
【００１７】
１  袋体
１Ａ，１Ｂ  フィルム基材
２  チャック（チャックテープ）
２Ａ  雄型テープ体    ２Ｂ  雌型テープ体
２ａ，２ｂ  台座部
３  スライダ
３ａ  内側ガイド部    ３ｂ  外側ガイド部
４  スペーサ
１１Ａ，１１Ｂ  フィルム基材
【図１】
0003134307.tif 000003
【図２】
0003134307.tif 000004
【図３】
0003134307.tif 000005